(57)【特許請求の範囲】
【請求項１】
表示データを一時的に記憶して表示器に前記表示データを出力する出力バッファと、前記表示データの所定量の終端を示すラッチパルスを前記出力バッファに出力するラッチパルス出力回路と、前記表示器の輝度を調整する調光データをＰＷＭ信号にて前記出力バッファを介して前記表示器に出力するＰＷＭ出力回路と、を有する表示制御装置であって、
前記ＰＷＭ信号を前記ラッチパルスに同期させるか否かを選定する同期指示データを記憶する記憶部と、
前記ＰＷＭ信号を前記ラッチパルスに同期させることが可能であるが、前記表示器が液晶表示器であるときには使用されない同期回路と、を設けたことを特徴とする表示制御装置。
【請求項２】
前記同期回路は、前記ラッチパルス出力回路から同期指示信号を入力した場合に、前記ＰＷＭ信号を前記ラッチパルスに同期させることを特徴とする請求項１に記載の表示制御装置。
【発明の詳細な説明】
【０００１】
【発明の属する技術分野】
本発明は、表示データ及び調光データを出力して表示器を制御する表示制御装置に関するものである。
【０００２】
【従来の技術】
従来より、マイコン１，表示コントローラ２（表示制御装置）及び液晶表示器３からなる液晶表示装置がある（図７参照）。液晶表示器３は、液晶表示素子４，駆動回路５，発光素子６及び点灯回路７を有している。液晶表示素子４は、ドットマトリクス型となっており、例えば３２０×２４０ドットの画素を有している(図８参照)。即ち、液晶表示素子４は、第１ライン〜第２４０ラインからなるものであり、各ラインはそれぞれ３２０個の画素を有している。
【０００３】
発光素子６は液晶表示素子４の裏面側に配置され、液晶表示素子４を後方から照明する。マイコン１は、ＣＰＵ，ＲＡＭ，ＲＯＭ等から構成されるものであり、表示コントローラ２に表示データおよび調光データを出力する。表示コントローラ２は、駆動回路５を介して液晶表示素子４を駆動すると共に、点灯回路７を介して発光素子６を駆動する。
【０００４】
表示コントローラ２は、レジスタ８，ラッチパルス出力回路９，ＰＷＭ出力回路１０及び出力バッファ１１を有している（図９参照）。表示データＤＡＴＡは、出力バッファ１１を介して、液晶表示器３に出力される。調光データは、ＰＷＭ出力回路１０にてＰＷＭ信号として、出力バッファ１１を介して、点灯回路７に出力される。ＰＷＭ信号は、周期Ｔ１に対するオン時間ｔ１の割合で、輝度レベルを表わしたものである（図１０参照）。
【０００５】
表示コントローラ２は第１ライン〜第２４０ラインの表示データを駆動回路５に順次出力し、駆動回路５は液晶表示素子４の第１ライン〜第２４０ラインを順次駆動する。ラッチパルス出力回路９から出力されるラッチパルスＬＰは、各ラインの表示データＤＡＴＡの終端を示すものであり、ラッチパルスＬＰの立ち下がりと、各ラインの表示データＤＡＴＡの終端が同期している。
【０００６】
【発明が解決しようとする課題】
しかしながら、前記表示コントローラ２は、液晶表示素子４等の非自発光型素子に適用することができるが、有機エレクトロルミネッセンス表示素子（以下、有機ＥＬ表示素子と記す）等の自発光型表示素子には適用することができないという問題を有していた。つまり、表示コントローラ２は、液晶表示器３のように液晶表示素子４と発光素子６を独立して制御する液晶表示器３には用いることができるが、自発光型表示素子を備えた表示器には適用することができなかった。これは、自発光型表示素子の場合、調光データ（即ち、ＰＷＭ信号）を表示データに同期させる必要があるためである。
【０００７】
本願発明は、種々の表示素子を制御できる汎用性が高い表示制御装置が望まれていることに鑑みなされたものであり、液晶表示素子等の非自発光型素子だけでなく、有機ＥＬ表示素子等の自発光型表示素子にも適用できる表示制御装置を提供するものである。
【０００８】
【課題を解決するための手段】
本発明は、前記課題を解決するため、表示データＤＡＴＡを一時的に記憶して表示器２３，４３に前記表示データＤＡＴＡを出力する出力バッファ３１と、前記表示データＤＡＴＡの所定量の終端を示すラッチパルスＬＰを前記出力バッファ３１に出力するラッチパルス出力回路２９と、前記表示器２３，４３の輝度を調整する調光データをＰＷＭ信号にて前記出力バッファ３１を介して前記表示器２３，４３に出力するＰＷＭ出力回路３０と、を有する表示制御装置２２であって、前記ＰＷＭ信号を前記ラッチパルスＬＰに同期させるか否かを選定する同期指示データを記憶する記憶部２８ａと、前記ＰＷＭ信号を前記ラッチパルスＬＰに同期させることが可能であるが、前記表示器が液晶表示器であるときには使用されない同期回路３２と、を設けたものである。
【０００９】
また、本発明は、前記同期回路３２は、前記ラッチパルス出力回路２９から同期指示信号ＳＹＮを入力した場合に、前記ＰＷＭ信号を前記ラッチパルスＬＰに同期させるものである。
【００１０】
【発明の実施の形態】
以下、添付の図面に基づいて、本発明の一実施形態を説明する。図１乃至図３は、本発明に係る表示コントローラ２２を液晶表示装置２０に適用した実施形態を示すものである。
【００１１】
液晶表示装置２０は、マイコン２１，表示コントローラ２２（表示制御装置）及び液晶表示器２３を有している（図１参照）。液晶表示器２３は、液晶表示素子２４，駆動回路２５，発光素子２６及び点灯回路２７からなるものである。液晶表示素子２４は、３２０×２４０ドットの画素を有するマトリクス型表示素子である。発光素子２６は、例えば発光ダイオード，冷陰極管若しくはバルブからなるものであり、液晶表示素子２４の裏面側に配置され、液晶表示素子２４を後方から照明する。
【００１２】
マイコン２１は、ＣＰＵ，ＲＡＭ，ＲＯＭ等から構成されるものであり、表示コントローラ２２に表示データ及び調光データを出力する。表示コントローラ２２は、駆動回路２５を介して液晶表示素子２４を駆動すると共に、点灯回路２７を介して発光素子２６を駆動する。
【００１３】
表示コントローラ２２は、レジスタ２８，ラッチパルス出力回路２９，ＰＷＭ出力回路３０及び出力バッファ３１を有している（図２参照）。表示コントローラ２２は、第１ライン〜第２４０ラインの表示データＤＡＴＡを駆動回路２５に順次出力する。調光データは、ＰＷＭ出力回路３０にてＰＷＭ信号に変換され、出力バッファ３１を介して、点灯回路２７に出力される。
【００１４】
ラッチパルス出力回路２９から出力されるラッチパルスＬＰは各ラインの表示データＤＡＴＡの終端を示すものであり、ラッチパルスＬＰの立ち下がりと、各ラインの表示データＤＡＴＡの終端が同期している（図３参照）。ＰＷＭ出力回路３０から出力されるＰＷＭ信号は、周期Ｔ２に対するオン時間ｔ２の割合で輝度レベルを表わしたものである。なお、ＰＷＭ出力回路３０は同期回路３２（合致回路）を有しているが、表示コントローラ２２を液晶表示器２０に適用した場合は、同期回路３２は使用されない。
【００１５】
レジスタ２８は、ＰＷＭ信号をラッチパルスＬＰに同期させるか否かを選定する同期指示データを記憶する記憶部２８ａを有している。記憶部２８ａは２ビットの記憶容量を有するものであり、例えば記憶部２８ａに「１０」と書込まれていると、ラッチパルス出力回路２９から同期回路３０に同期指示信号が出力され、ＰＷＭ信号がラッチパルスＬＰに同期するように出力され、記憶部２８ａに「００」と書込まれていると、ラッチパルス出力回路２９から同期指示信号は出力されず、ＰＷＭ信号はラッチパルスＬＰに同期しない。同期指示データはマイコン２１によりレジスタ２８の記憶部２８ａに書込まれる。
【００１６】
図４乃至図６は、表示コントローラ２２を有機ＥＬ表示装置４０に適用した実施形態を示すものである。
【００１７】
有機ＥＬ表示装置４０は、マイコン４１，表示コントローラ２２及び有機ＥＬ表示器４３を有している（図４参照）。有機ＥＬ表示器４３は、有機ＥＬ表示素子４４及び駆動回路４５を有している。有機ＥＬ表示素子４４は、３２０×２４０ドットの画素を有するマトリクス型表示素子である。表示コントローラ２２は、第１ライン〜第２４０ラインの表示データＤＡＴＡを駆動回路４５に順次出力する。
【００１８】
ＰＷＭ出力回路３０から出力されるＰＷＭ信号は、周期Ｔ３に対するオン時間ｔ３の割合で輝度レベルを表わしたものである（図６参照）。レジスタ２８の記憶部２８ａには、同期指示信号として「１０」と書込まれており、ラッチパルス出力回路２９から同期回路３２に同期指示信号ＳＹＮが出力される。ＰＷＭ出力回路３０から出力されるＰＷＭ信号は、ラッチパルスＬＰの立ち下がりに同期して、出力バッファ３１を介して駆動回路４５に出力される。
【００１９】
上述したように、表示コントローラ２２は、レジスタ２８の記憶部２８ａに、同期指示データをマイコン２１，４１により書込むことで、ラッチパルス出力回路２９から同期信号ＳＹＮを同期回路３２に出力するか否かを選択することができるため汎用性が高く、液晶表示器２３や有機ＥＬ表示器４３に適用できる。
【００２０】
なお、有機ＥＬ表示器４０における表示コントラーラ２２は、ＰＷＭ信号の立ち上がりと、ラッチパルスＬＰの立ち下がりを同期させたものであったが、ＰＷＭ信号の周期Ｔ３と、ラッチパルスＬＰの周期が同一であれば良く、例えばラッチパルスＬＰの立ち下がりから所定時間だけ遅延させて、ＰＷＭ信号が立ち上がるように同期させても良い。
【００２１】
【発明の効果】
本発明は、表示データを一時的に記憶して表示器に前記表示データを出力する出力バッファと、前記表示データの所定量の終端を示すラッチパルスを前記出力バッファに出力するラッチパルス出力回路と、前記表示器の輝度を調整する調光データをＰＷＭ信号にて前記出力バッファを介して前記表示器に出力するＰＷＭ出力回路と、を有する表示制御装置であって、前記ＰＷＭ信号を前記ラッチパルスに同期させるか否かを選定する同期指示データを記憶する記憶部と、前記ＰＷＭ信号を前記ラッチパルスに同期させることが可能であるが、前記表示器が液晶表示器であるときには使用されない同期回路と、を設けたものであり、液晶表示素子等の非自発光型素子だけでなく、有機ＥＬ表示素子等の自発光型表示素子にも適用できる。
【図面の簡単な説明】
【図１】    本発明の実施形態を示す液晶表示装置のブロック図。
【図２】    同上実施形態を示す表示コントローラのブロック図。
【図３】    同上実施形態を示すタイミング図。
【図４】    同上実施形態を示す有機ＥＬ表示装置のブロック図。
【図５】    同上実施形態を示す表示コントローラのブロック図。
【図６】    同上実施形態を示すタイミング図。
【図７】    従来例を示す液晶表示装置のブロック図。
【図８】    同上従来例を示す液晶表示素子の正面図。
【図９】    同上従来例を示す表示コントローラのブロック図。
【図１０】  同上従来例を示すタイミング図。
【符号の説明】
２３      液晶表示器（表示器）
２８      レジスタ
２８ａ    記憶部
２９      ラッチパルス出力回路
３０      ＰＷＭ出力回路
３１      出力バッファ
３２      合致回路（同期回路）
４３      有機ＥＬ表示器（表示器)
ＤＡＴＡ  表示データ
ＬＰ      ラッチパルス
ＳＹＮ    同期指示信号
【図１】
0003724736.tif 000002
【図２】
0003724736.tif 000003
【図３】
0003724736.tif 000004
【図４】
0003724736.tif 000005
【図５】
0003724736.tif 000006
【図６】
0003724736.tif 000007
【図７】
0003724736.tif 000008
【図８】
0003724736.tif 000009
【図９】
0003724736.tif 000010
【図１０】
0003724736.tif 000011